(57)【要約】      （修正有）【課題】簡単的かつ合理的に構成される冷風扇用のポンプリターン構造を提供する。【解決手段】本体１を備えており、本体の下部にプッシュプル式水タンク２の装着に適する水タンク装着室３が開設され、水タンク装着室の上の本体の内側に連結座４が取り付けられ、ポンプホルダー５が連結座に対して回転可能に接続され、ポンプホルダーの一端にポンプ部品７が取り付けられる支持アーム６が延設され、前記ポンプホルダーの他端にカウンターウェイトブロックが設けられるカウンターウェイト座８が延設され、ここで、カウンターウェイトブロックの重さがポンプ部品の重さより大きい。当該構造がシーソーの原理で最大限で簡略化され、機械の連携がもっと簡単になり、動作時にもっと頼りになって、ポンプホルダーが長い時間で水蒸気と触れて弾性部品が錆びることが原因でリターン構造が壊れてしまうことを避けることができるとともに、パーツが減少するために、コストを低減して利益を高めることもできる。【選択図】図１
0003211368.tif 000002
【実用新案登録請求の範囲】
【請求項１】
本体（１）を備えており、本体（１）の下部にプッシュプル式水タンク（２）の装着に適する水タンク装着室（３）が開設され、水タンク装着室（３）の上の本体（１）の内側に連結座（４）が取り付けられ、ポンプホルダー（５）が連結座４に対して回転可能に接続され、ポンプホルダー（５）の一端にポンプ部品（７）が取り付けられる支持アーム（６）が延設される冷風扇用のポンプリターン構造であって、
前記ポンプホルダー（５）の他端にカウンターウェイトブロック（９）が取り付けられるカウンターウェイト座（８）が延設され、ここで、カウンターウェイトブロック（９）の重さがポンプ部品（７）の重さより大きいことを特徴とする冷風扇用のポンプリターン構造。
【請求項２】
前記ポンプ部品（７）はポンプ（７０１）と接続パイプ（７０２）とを備えることを特徴とする請求項１に記載の冷風扇用のポンプリターン構造。
【請求項３】
水タンク（２）が水タンク装着室（３）に押し込まれた時に、水タンク（２）の後壁（２０１）がカウンターウェイト座（８）を押して連結座（４）に対して上に回転させ、従って、支持アーム（６）のポンプ部品（７）を横の状態から縦の状態になるように動かして、ポンプ（７０１）を水タンク（２）の底部に近づけることを特徴とする請求項１に記載の冷風扇用のポンプリターン構造。
【請求項４】
水タンク（２）が水タンク装着室（３）から引き出された時に、カウンターウェイト座（８）が重力で連結座（４）に対して下に回転し、従って、支持アーム（６）のポンプ（７０１）を縦の状態から横の状態になるように動かして、ポンプ（７０１）が水タンク装着室（３）の上に宙吊りになるようにさせることを特徴とする請求項１に記載の冷風扇用のポンプリターン構造。
【請求項５】
前記カウンターウェイト座（８）の底部において水タンク２のプッシュプル方向に支持突起部（８０１）が少なくとも１本延設され、水タンク（２）が水タンク装着室（３）に押し込まれた時に、水タンク（２）の後壁（２０１）が支持突起部（８０１）の底部を押すとともに、水タンク（２）が固定された後に、支持突起部（８０１）を介してカウンターウェイト座（８）を水タンク（２）にサポートすることを特徴とする請求項１に記載の冷風扇用のポンプリターン構造。
【請求項６】
前記連結座（４）は対向設置する２つの連結フレーム（４０１）を備えており、２つの連結フレーム（４０１）の間に支持軸（４０２）が接続され、ポンプホルダー（５）に支持軸（４０２）の挿通に適する軸孔（５０１）が開設されるとともに、軸孔（５０１）が支持アーム（６）とカウンターウェイト座（８）の間に開設されていることを特徴とする請求項１に記載の冷風扇用のポンプリターン構造。
【請求項７】
前記カウンターウェイト座（８）と支持アーム（６）とのなす角がαであり、ここで、なす角αが９０°以上であることを特徴とする請求項１に記載の冷風扇用のポンプリターン構造。
【請求項８】
支持アーム（６）の末端にポンプ部品（７）が取り付けられることを特徴とする請求項１に記載の冷風扇用のポンプリターン構造。
【請求項９】
前記カウンターウェイト座（８）においてはカウンターウェイトブロック（９）に合わせるカウンターウェイト室（８０２）が設けられ、カウンターウェイト室（８０２）には位置決めロッド（８０３）が延設されて、カウンターウェイトブロック（９）に位置決めロッド（８０３）を挿通する位置決め孔（９０１）が開設されることを特徴とする請求項１に記載の冷風扇用のポンプリターン構造。
【請求項１０】
前記カウンターウェイト室（８０２）に複数の補強リブ（８０４）と補強リブプレート（８０５）が開設されることを特徴とする請求項９に記載の冷風扇用のポンプリターン構造。
【考案の詳細な説明】
【技術分野】
【０００１】
本考案は、冷風扇に関し、特に、冷風扇用のポンプリターン構造に関する。
【背景技術】
【０００２】
現在、冷風扇は扇風機に継いで新しい製品であり、送風、加熱、浄化だけではなく、加湿することもでき、それに加えて、水の蒸発作用によって温度を下げ、冷却効果をエアコンによる快適さと同じようにさせ、消費電力が低い利点を有するので、人たちに愛用されている。
【０００３】
しかしながら、この種類の製品に対して、ユーザが定時に加水したり、アイスボックスを交換したりすることが必要であるだけではなく、一定期間で使用した後に、水タンクと水フィルターをきれいにする必要もある。そのため、製品を水タンク引出可能な構造に設定しなければならず、これによって、ユーザによる使用と掃除を容易にする。また、ポンプが水タンクの底で潜って使用される必要があるので、水タンクを引き出す時に、先にポンプを引き上げたり、引き出すと同時にポンプを引き上げたりしなければ、ポンプ構造を壊すことが避けられない。
【０００４】
既に開示された出願番号２０１２１０２２４２１３．３である中国特許は、好適な構造の実施形態を提供し、水タンクを押し込んだり引き出したりする時にポンプが水タンクの底で潜って使用されるか引き上げられる必要がある問題を解決することができるが、当該特許出願における実施形態のリターン構造は鉄で鋳造される弾性部品によりサポートされ、弾性部品が冷風扇による水蒸気と水タンクの水分と触れるまま長い時間で使用されると、弾性部品が錆びやすいので、弾性が低下した場合に、ポンプのホルダーが宙に浮いている時に水タンクより低くなることを容易にもたらし、そのため、次回水タンクを押すとポンプにぶつかってポンプのリターン機構又は水タンクを壊してしまう。同時に、水タンクを使用する時に、水量がだんだん低減するとともに水タンクの総重量も低減するので、ポンプリターン機構の弾性部品の作用力が水タンクの重量より大きく、水タンクが使用される時に水タンクの装着室から押し出される傾向になりやすい。
【考案の概要】
【考案が解決しようとする課題】
【０００５】
本考案は、前記先行技術における欠点を解消し、簡単的かつ合理的に構成される冷風扇用のポンプリターン構造を提供することを目的とし、当該ポンプリターン構造については、容易に製造され、簡単に組み立てられ、構成が簡略化され、機械故障の発生率が低減され、ポンプリターン構造によって水タンクが引き出される現象も減少される。
【課題を解決するための手段】
【０００６】
本考案は、その課題を解決するために以下のものをし、即ち、冷風扇用のポンプリターン構造であって、本体を備えており、本体の下部にプッシュプル式水タンクの装着に適する水タンク装着室が開設され、水タンク装着室の上の本体の内側に連結座が取り付けられ、ポンプホルダーが連結座に対して回転可能に接続され、ポンプホルダーの一端にポンプ部品が取り付けられる支持アームが延設され、ポンプホルダーの他端にカウンターウェイトブロックが取り付けられるカウンターウェイト座が延設され、ここで、カウンターウェイトブロックの重さがポンプ部品の重さより大きい。当該構造がシーソーの原理によって最大限で簡略化され、機械の連携がもっと簡単になり、動作時にもっと頼りになって、ポンプホルダーが長い時間で水蒸気と触れて弾性部品が錆びることが原因でリターン構造が壊れてしまうことを避けることができるとともに、パーツが減少するために、コストを低減して利益を高めることもできる。
【０００７】
前記ポンプ部品はポンプと接続パイプとを備えて、水タンクの底部の水を汲み上げることが便利で、構造が簡単で、取り付けが容易である。
【０００８】
水タンクが水タンク装着室に押し込まれた時に、水タンクの後壁がカウンターウェイト座を押して連結座に対して上に回転させ、従って、支持アームのポンプ部品を横の状態から縦の状態になるように動かして、ポンプを水タンクの底部に近づける。水タンクの後壁がカウンターウェイト座を押して、カウンターウェイト座とポンプが取り付けられる支持アームとがシーソー構造を構成するので、水タンクを押し込む期間に、水タンクの後壁がカウンターウェイト座に軽く触れるだけで支持アームを下に回転させる。これによって、従来の構造のように、弾性部品の張力が大きいことが原因でユーザが大きい力を使わなければ水タンクを押し込むことができない問題が避けられ、操作が容易である。
【０００９】
水タンクが水タンク装着室から引き出された時に、カウンターウェイト座が重力で連結座に対して下に回転し、従って、支持アームのポンプを縦の状態から横の状態になるように動かして、ポンプが水タンク装着室の上に宙吊りになるようにさせる。水タンクが引き出された時に、（カウンターウェイト座の重さがポンプ部品の重さより大きいために）カウンターウェイト座が縦の状態から横の状態になり、外力により押される（例えば、水タンクがカウンターウェイト座に触れる）までに、カウンターウェイト座が自由状態で常に垂直状態を保持するとともに、ポンプ部品が常に水平状態で水タンク装着室の上に位置する一方、外力により押された後に、カウンターウェイト座が連結座を中心に回転するので、構造が簡単で、操作が容易である。
【００１０】
前記カウンターウェイト座の底部において水タンクのプッシュプル方向に支持突起部が少なくとも１本延設される。水タンクが水タンク装着室に押し込まれた時に、水タンクの後壁が支持突起部の底部を押すとともに、水タンクが固定された後に、支持突起部を介してカウンターウェイト座を水タンクにサポートする。水タンクが水タンク装着室に押し込まれた時に、支持突起部はカウンターウェイト座と水タンクの後壁との接触を低減し、これによって、ぶつかる時の騒音が低減される。水タンクが水タンク装着室から引き出される時に、支持突起部は接触面積を低減し、これによって、摩擦による騒音が低減される。
【００１１】
前記連結座は対向設置する２つの連結フレームを備える。２つの連結フレームの間に支持軸が接続され、ポンプホルダー５に支持軸の挿通に適する軸孔が開設される。当該軸孔が支持アームとカウンターウェイト座の間に開設されて、これによって、ポンプホルダーにシーソー構造を構成させるので、回転が速く、摩擦が少なく、反転が迅速で容易である。
【００１２】
前記カウンターウェイト座と支持アームとのなす角がα（αが９０°以上）であり、なぜなら、なす角αを９０°以上とする場合に、水タンクが水タンク装着室から引き出された後に、支持アームが横の状態に回転してその横の状態の水平高さがいつも水タンクの高さより高いことを確保でき、水タンクを押し込む時にポンプにぶつかってポンプを壊してしまうことを避けることができる。
【００１３】
支持アームの末端にポンプ部品が取り付けられ、なぜなら、ポンプホルダーの連携を確保することができ、水タンクが水タンク装着室から引き出される時に、カウンターウェイト座が迅速に下に回転するまでには至らない。カウンターウェイト座が迅速に下に回転する場合に、回転量が大きすぎる傾向があり、これによって、シーソー原理による支持アームが同時に迅速に上に回転し、支持アームの末端が水タンク装着室の上部にぶつかってポップを壊すことをもたらす。
【００１４】
前記カウンターウェイト座においてはカウンターウェイトブロックに合わせるカウンターウェイト室が設けられ、カウンターウェイト室には位置決めロッドが延設され、カウンターウェイトブロックに位置決めロッドを挿通する位置決め孔が開設されるので、構造が簡単だけではなく、コンパクトで堅固であり、着脱が容易である。
【００１５】
前記カウンターウェイト室に複数の補強リブと補強リブプレートが開設され、カウンターウェイト座における、軸孔に近い位置が折れることを防止し、カウンターウェイト座をもっと堅くする。
【考案の効果】
【００１６】
以下、本考案の有利な効果は以下のようになる。本考案は、冷風扇用のポンプリターン構造であり、この構成は、簡単で信頼性があり、着脱容易で、当該構造がシーソーの原理によって最大限で簡略化され、機械の連携がもっと簡単になり、リターンのためにいかなる弾性部品が必要とされないので、動作時にもっと頼りになって、ポンプホルダーが長い時間で水蒸気と触れて弾性部品が錆びることが原因でリターン構造が壊れてしまうことを避けることができるとともに、パーツが減少するために、コストを低減して利益を高めることもできる。
【図面の簡単な説明】
【００１７】
【図１】は、本考案に係る断面構成図である。
【００１８】
【図２】は、本考案に係る水タンクが水タンク装着室に押し込まれた時の構成概略図である。
【００１９】
【図３】は、本考案に係る水タンクが水タンク装着室から引き出された時の構成概略図である。
【００２０】
【図４】は、本考案に係るポンプリターン構造の分解構成図である。
【００２１】
【図５】は、本考案に係るポンプホルダーの構成概略図である。
【考案を実施するための形態】
【００２２】
以下、図面及び実施の形態に基づいて、本考案をさらに説明する。図１から図５に示されるように、冷風扇用のポンプリターン構造は、本体１を備えており、本体１の下部にプッシュプル式水タンク２の装着に適する水タンク装着室３が開設され、水タンク装着室３の上の本体１の内側に連結座（connecting seat）４が取り付けられ、ポンプホルダー５が連結座４に対して回転可能に接続され、ポンプホルダー５の一端にポンプ部品７が取り付けられる支持アーム６が延設され、ポンプホルダー５の他端にカウンターウェイトブロック９が取り付けられるカウンターウェイト座８が延設され、ここで、カウンターウェイトブロック９の重さがポンプ部品７の重さより大きい。当該構造がシーソーの原理によって最大限で簡略化され、機械の連携がもっと簡単になり、動作時にもっと頼りになって、ポンプホルダー５が長い時間で水蒸気と触れて弾性部品が錆びることが原因でリターン構造が壊れてしまうことを避けることができるとともに、パーツが減少するために、コストを低減して利益を高めることもできる。
【００２３】
前記ポンプ部品７はポンプ７０１と接続パイプ７０２とを備えて、水タンクの底部の水を汲み上げることが便利で、構造が簡単で、取り付けが容易である。
【００２４】
水タンク２が水タンク装着室３に押し込まれた時に、水タンク２の後壁２０１がカウンターウェイト座８を押して連結座４に対して上に回転させ、従って、支持アーム６のポンプ部品７を横の状態から縦の状態になるように動かして、ポンプ７０１を水タンク２の底部に近づける。水タンク２の後壁２０１がカウンターウェイト座８を押して、カウンターウェイト座８とポンプ７０１が取り付けられる支持アーム６とがシーソー構造を構成するので、水タンク２を押し込む期間に、水タンク２の後壁２０１がカウンターウェイト座８に軽く触れるだけで支持アーム６を下に回転させる。これによって、従来の構造のように、弾性部品の張力が大きいことが原因でユーザが大きい力を使わなければ水タンクを押し込むことができない問題が避けられ、操作が容易である。
【００２５】
水タンク２が水タンク装着室３から引き出された時に、カウンターウェイト座８が重力で連結座４に対して下に回転し、従って、支持アーム６のポンプ７０１を縦の状態から横の状態になるように動かして、ポンプ７０１が水タンク装着室３の上に宙吊りになるようにさせる。水タンク２が引き出された時に、（カウンターウェイト座８の重さがポンプ部品７の重さより大きいために）カウンターウェイト座８が縦の状態から横の状態になり、外力により押される（例えば、水タンクがカウンターウェイト座８に触れる）までに、カウンターウェイト座８が自由状態で常に垂直状態を保持するとともに、ポンプ部品７が常に水平状態で水タンク装着室３の上に位置する一方、外力により押された後に、カウンターウェイト座８が連結座４を中心に回転するので、構造が簡単で、操作が容易である。
【００２６】
前記カウンターウェイト座８の底部において水タンク２のプッシュプル方向に支持突起部８０１が少なくとも１本延設される。水タンク２が水タンク装着室３に押し込まれた時に、水タンク２の後壁２０１が支持突起部８０１の底部を押すとともに、水タンク２が固定された後に、支持突起部８０１を介してカウンターウェイト座８を水タンク２にサポートする。水タンク２が水タンク装着室３に押し込まれた時に、支持突起部８０１はカウンターウェイト座８と水タンク２の後壁２０１との接触を低減し、これによって、ぶつかる時の騒音が低減される。水タンク２が水タンク装着室３から引き出される時に、支持突起部８０１は接触面積を低減し、これによって、摩擦による騒音が低減される。
【００２７】
前記連結座４は対向設置する２つの連結フレーム４０１を備える。２つの連結フレーム４０１の間に支持軸４０２が接続され、ポンプホルダー５に支持軸４０２の挿通に適する軸孔５０１が開設される。当該軸孔５０１が支持アーム６とカウンターウェイト座８の間に開設されて、これによって、ポンプホルダー５にシーソー構造を構成させるので、回転が速く、摩擦が少なく、反転が迅速で容易である。
【００２８】
前記カウンターウェイト座８と支持アーム６とのなす角がα（９０°以上）であり、なぜなら、なす角αを９０°以上とする場合に、水タンク２が水タンク装着室３から引き出された後に、支持アーム６が横の状態に回転してその横の状態の水平高さがいつも水タンク２の高さより高いことを確保でき、水タンク２を押し込む時にポンプ７０１にぶつかってポンプ７０１を壊してしまうことを避けることができる。
【００２９】
支持アーム６の末端にポンプ部品７が取り付けられ、なぜなら、ポンプホルダー５の連携を確保することができ、水タンク２が水タンク装着室３から引き出される時に、カウンターウェイト座８が迅速に下に回転するまでには至らない。カウンターウェイト座８が迅速に下に回転する場合に、回転量が大きすぎる傾向があり、これによって、シーソー原理による支持アーム６が同時に迅速に上に回転し、支持アーム６の末端が水タンク装着室３の上部にぶつかってポップ７０１を壊すことをもたらす。
【００３０】
前記カウンターウェイト座８においてはカウンターウェイトブロック９に合わせるカウンターウェイト室８０２が設けられ、カウンターウェイト室８０２には位置決めロッド８０３が延設され、カウンターウェイトブロック９に位置決めロッド８０３を挿通する位置決め孔９０１が開設されるので、構造が簡単だけではなく、コンパクトで堅固であり、着脱が容易である。
【００３１】
前記カウンターウェイト室８０２に複数の補強リブ８０４と補強リブプレート８０５が開設され、カウンターウェイト座８における、軸孔５０１に近い位置が折れることを防止し、カウンターウェイト座８をもっと堅くする。
【００３２】
以上に述べた具体的な実施例は、あくまでも本考案の最適な実施例にすぎない。本考案の請求範囲と均等するものは、すべて本考案に含まれる。
【図１】
0003211368.tif 000003
【図２】
0003211368.tif 000004
【図３】
0003211368.tif 000005
【図４】
0003211368.tif 000006
【図５】
0003211368.tif 000007